【手続補正書】
【提出日】平成17年2月8日(2005.2.8)
【手続補正１】
【補正対象書類名】明細書
【補正対象項目名】特許請求の範囲
【補正方法】変更
【補正の内容】
【特許請求の範囲】
【請求項１】
パチンコ玉およびメダル等の遊技媒体を貸出のために払い出す媒体払出手段と、
ＣＲ媒体貸出機およびＣＲ遊技機の間の通信経路に設けられ、前記ＣＲ媒体貸出機と前記ＣＲ遊技機の間の通信信号を中継するＣＲ通信中継手段と、
前記媒体払出手段による遊技媒体の払出を制御する媒体払出制御手段と、
を含み、前記ＣＲ媒体貸出機と前記ＣＲ遊技機の間での媒体払出指示信号の通信が制限される状態で設けられ、前記媒体払出制御手段は、媒体払出指示信号の通信が制限されるとき、可変設定される遊技媒体の貸出単価に従った数量の遊技媒体を前記媒体払出手段に払いださせることを特徴とする遊技媒体貸出装置。
【請求項２】
請求項１に記載の遊技媒体貸出装置において、
前記ＣＲ通信中継手段が、前記ＣＲ媒体貸出機と前記ＣＲ遊技機との間での媒体払出信号の通信を制限することを特徴とする遊技媒体貸出装置。
【請求項３】
請求項１または２に記載の遊技媒体貸出装置において、
前記ＣＲ通信中継手段は、前記ＣＲ媒体貸出機と前記ＣＲ遊技機の間の接続確認信号、残度数通知信号および媒体貸出要求信号を通過させることを特徴とする遊技媒体貸出装置。
【請求項４】
請求項１〜３のいずれかに記載の遊技媒体貸出装置において、
前記媒体払出制御手段は、複数の遊技媒体貸出装置と通信を行う外部制御装置から指示される貸出単価に従って前記媒体払出手段による遊技媒体の払出を制御することを特徴とする遊技媒体貸出装置。
【請求項５】
請求項１〜４のいずれかに記載の遊技媒体貸出装置において、
遊技媒体の貸出単価を設定する貸出単価設定手段を含むことを特徴とする遊技媒体貸出装置。
【請求項６】
請求項１〜５のいずれかに記載の遊技媒体貸出装置において、
現金を受け付ける現金受付手段を有し、
現金を受け付けて遊技媒体を前記媒体払出手段から払い出す現金媒体貸出機としても機能することを特徴とする遊技媒体貸出装置。
【請求項７】
請求項６に記載の遊技媒体貸出装置において、
現金による媒体貸出の情報を前記ＣＲ媒体貸出機に送信することを特徴とする遊技媒体貸出装置。
【請求項８】
請求項１〜７のいずれかに記載の遊技媒体貸出装置において、
遊技場の会員カードを受け付けるカード受付手段を有し、
会員カードを受け付けて遊技媒体を前記媒体払出手段から払い出すカード対応媒体貸出機としても機能することを特徴とする遊技媒体貸出装置。
【請求項９】
請求項８に記載の遊技媒体貸出装置において、
会員カードによる媒体貸出の情報を前記ＣＲ媒体貸出機に送信することを特徴とする遊技媒体貸出装置。
【請求項１０】
請求項８または９に記載の遊技媒体貸出装置において、
会員カードをもつ会員の遊技媒体の出入状況に応じて貸出単価を変更する手段を有することを特徴とする遊技媒体貸出装置。
【請求項１１】
請求項１〜１０のいずれかに記載の遊技媒体貸出装置において、
遊技者の遊技媒体の出入状況に応じて貸出単価を変更する手段を有することを特徴とする遊技媒体貸出装置。
【請求項１２】
請求項１〜１１のいずれかに記載の遊技媒体貸出装置において、
前記ＣＲ遊技機における遊技媒体の出入状況に応じて貸出単価を変更する手段を有することを特徴とする遊技媒体貸出装置。
【請求項１３】
請求項１〜１２のいずれかに記載の遊技媒体貸出装置において、
貸出単価が所定の基準単価に設定されているときは、媒体払出指示信号の通信が行われ、貸出単価が前記基準単価より小さく設定されているときは、媒体払出指示信号の通信が制限されることを特徴とする遊技媒体貸出装置。
【請求項１４】
パチンコ玉およびメダル等の遊技媒体を貸出のために払い出す媒体払出手段をもつ装置を制御する遊技媒体貸出制御装置であって、
ＣＲ媒体貸出機およびＣＲ遊技機の間の通信経路に設けられ、前記ＣＲ媒体貸出機と前記ＣＲ遊技機の間の通信信号を中継するＣＲ通信中継手段と、
前記媒体払出手段による遊技媒体の払出を制御する媒体払出制御手段と、
を含み、前記ＣＲ媒体貸出機と前記ＣＲ遊技機の間での媒体払出指示信号の通信が制限される状態で設けられ、前記媒体払出制御手段は、媒体払出指示信号の通信が制限されるとき、可変設定される遊技媒体の貸出単価に従った数量の遊技媒体を前記媒体払出手段に払いださせることを特徴とする遊技媒体貸出制御装置。
【請求項１５】
パチンコ玉およびメダル等の遊技媒体を貸出のために払い出す媒体払出手段をもつ装置の制御方法であって、
ＣＲ媒体貸出機およびＣＲ遊技機の間の通信信号を中継し、
前記ＣＲ媒体貸出機が前記ＣＲ遊技機への媒体払出指示信号を送ろうとするときは、前記媒体払出指示信号の通信を制限し、
前記媒体払出指示信号の通信が制限されるとき、可変設定される遊技媒体の貸出単価に従った数量の遊技媒体を前記媒体払出手段に払いださせることを特徴とする遊技媒体貸出装置の制御方法。
【請求項１６】
パチンコ玉およびメダル等の遊技媒体を貸出のために払い出す媒体払出手段をもつ装置を制御するためのコンピュータにて実行可能なプログラムであって、
ＣＲ媒体貸出機およびＣＲ遊技機の間の通信信号を中継し、
前記ＣＲ媒体貸出機が前記ＣＲ遊技機への媒体払出指示信号を送ろうとするときは、前記媒体払出指示信号の通信を制限し、
前記媒体払出指示信号の通信を制限するとき、可変設定される遊技媒体の貸出単価に従った数量の遊技媒体を前記媒体払出手段に払いださせる、
処理を前記コンピュータに行わせることを特徴とするプログラム。
【請求項１７】
パチンコ玉およびメダル等の遊技媒体を貸し出す複数の遊技媒体貸出装置と、前記複数の遊技媒体貸出装置と通信可能に接続される中央制御装置とを含み、前記中央制御装置が前記複数の遊技媒体貸出装置を制御する遊技媒体貸出システムであって、
前記中央制御装置は、前記複数の遊技媒体貸出装置との通信によって、前記複数の遊技媒体貸出装置に遊技媒体の貸出単価を指示し、
前記複数の遊技媒体貸出装置の各々は、
パチンコ玉およびメダル等の遊技媒体を貸出のために払い出す媒体払出手段と、
ＣＲ媒体貸出機およびＣＲ遊技機の間の通信経路に設けられ、前記ＣＲ媒体貸出機と前記ＣＲ遊技機の間の通信信号を中継するＣＲ通信中継手段と、
前記媒体払出手段による遊技媒体の払出を制御する媒体払出制御手段と、
を含み、前記ＣＲ媒体貸出機と前記ＣＲ遊技機の間での媒体払出指示信号の通信が制限される状態で設けられ、前記媒体払出制御手段は、媒体払出指示信号の通信が制限されるとき、可変設定される遊技媒体の貸出単価に従った数量の遊技媒体を前記媒体払出手段に払いださせることを特徴とする遊技媒体貸出システム。
【請求項１８】
ＣＲ遊技機およびＣＲ媒体貸出機とともに用いられ、パチンコ玉等の遊技媒体を貸し出すための遊技媒体貸出装置であって、
前記遊技媒体を貸出のために払い出す媒体払出手段と、
前記媒体払出手段による遊技媒体の払出を制御する媒体払出制御手段と、
を含み、前記媒体払出制御手段は、可変設定される遊技媒体の貸出単価に従った数量の遊技媒体を前記媒体払出手段に払いださせることを特徴とする遊技媒体貸出装置。
【請求項１９】
ＣＲ遊技機およびＣＲ媒体貸出機とともに用いられ、パチンコ玉およびメダル等の遊技媒体を貸出のために払い出す媒体払出手段をもつ装置を制御する遊技媒体貸出制御装置であって、可変設定される遊技媒体の貸出単価に従った数量の遊技媒体を前記媒体払出手段に払いださせることを特徴とする遊技媒体貸出制御装置。
【請求項２０】
ＣＲ遊技機およびＣＲ媒体貸出機とともに用いられ、パチンコ玉およびメダル等の遊技媒体を貸出のために払い出す媒体払出手段をもつ装置の制御方法であって、可変設定される遊技媒体の貸出単価に従った数量の遊技媒体を前記媒体払出手段に払いださせることを特徴とする遊技媒体貸出装置の制御方法。
【請求項２１】
ＣＲ遊技機およびＣＲ媒体貸出機とともに用いられ、パチンコ玉およびメダル等の遊技媒体を貸出のために払い出す媒体払出手段をもつ装置を制御するためのコンピュータにて実行可能なプログラムであって、可変設定される遊技媒体の貸出単価に従った数量の遊技媒体を前記媒体払出手段に払いださせる処理を前記コンピュータに行わせることを特徴とするプログラム。
【請求項２２】
ＣＲ遊技機およびＣＲ媒体貸出機とともに用いられ、パチンコ玉およびメダル等の遊技媒体を貸し出す複数の遊技媒体貸出装置と、前記複数の遊技媒体貸出装置と通信可能に接続される中央制御装置とを含み、前記中央制御装置が前記複数の遊技媒体貸出装置を制御する遊技媒体貸出システムであって、
前記中央制御装置は、前記複数の遊技媒体貸出装置との通信によって、前記複数の遊技媒体貸出装置に遊技媒体の貸出単価を指示し、
前記複数の遊技媒体貸出装置の各々は、
前記遊技媒体を貸出のために払い出す媒体払出手段と、
前記媒体払出手段による遊技媒体の払出を制御する媒体払出制御手段と、
を含み、前記媒体払出制御手段は、可変設定される遊技媒体の貸出単価に従った数量の遊技媒体を前記媒体払出手段に払いださせることを特徴とする遊技媒体貸出システム。